(57)【要約】【課題】  入院患者の氏名を隠してプライバシーを保護するとともに、病院スタッフの作業に支障が生じない病室案内板の提供。【解決手段】  化粧板１と、患者名案内板２とを備え、患者名案内板２は、患者名表示部３を有し、化粧板の内部に設けた収納部４に収納可能であると共に、化粧板の左右または上下に引き出し可能であり、引き出したときに患者名表示部３が露出することを特徴とする。【選択図】      図１
0003110724.tif 000002
【実用新案登録請求の範囲】
【請求項１】
化粧板（１）と、患者名案内板（２）とを備え、患者名案内板は、患者名表示部（３）を有し、化粧板の内部に設けた収納部（４）に収納可能であると共に、化粧板の左右または上下に引き出し可能であり、引き出したときに患者名表示部（３）が露出することを特徴とする病室案内板。
【請求項２】
患者名案内板（２）は、化粧板（１）の側方に引き出し可能に設けてあり、且つ収納時に化粧板から突出する引き手（５）を設けてあることを特徴とする請求項１記載の病室案内板
【請求項３】
患者名案内板（２）は、化粧板（１）の下方に引き出し可能に設けてあり、化粧板は、収納した患者名案内板に係止するストッパー（６）を設けてあることを特徴とする請求項１記載の病室案内板。
【請求項４】
化粧板（１）の前面に、病室番号（７）とともに、診療科ごとに異なる絵（８）が表示してあることを特徴とする請求項１、２または３記載の病室案内板。
【考案の詳細な説明】
【技術分野】
【０００１】
本考案は、病室の入口に設置する病室案内板に関する。
【背景技術】
【０００２】
病院の廊下の各病室の入口近くには、病室案内板が設置されている。従来の病室案内板は、病人を見舞いに来た人が病室を容易に見つけられるように、病室の番号と入院患者の氏名が表示してあった。見舞いに来た人は、病室案内板の表示を見ながら目的の病室を探すから、見舞う相手以外の他の大勢の入院患者の氏名も自然に目に入る。このことは、入院患者のプライバシー保護の観点から好ましくなく、近年では入院患者の氏名を病室案内板に表示しない病院も出てきている。しかし入院患者の氏名が病室案内板に表示されていないと、看護婦などの病院スタッフが作業を迅速、円滑に進める上で支障がある。
【考案の開示】
【考案が解決しようとする課題】
【０００３】
本考案は以上に述べた実情に鑑みてなされたものであって、入院患者の氏名を隠してプライバシーを保護するとともに、病院スタッフの作業に支障が生じない病室案内板の提供を目的とする。
【課題を解決するための手段】
【０００４】
上記の課題を達成するために、請求項１記載の考案による病室案内板は、化粧板と、患者名案内板とを備え、患者名案内板は、患者名表示部を有し、化粧板の内部に設けた収納部に収納可能であると共に、化粧板の左右または上下に引き出し可能であり、引き出したときに患者名表示部が露出することを特徴とする。
【０００５】
請求項２記載の考案による病室案内板は、請求項１記載の考案において、患者名案内板は、化粧板の側方に引き出し可能に設けてあり、且つ収納時に化粧板から突出する引き手を設けてあることを特徴とする。
【０００６】
請求項３記載の考案による病室案内板は、請求項１記載の考案において、患者名案内板は、化粧板の下方に引き出し可能に設けてあり、化粧板は、収納した患者名案内板に係止するストッパーを設けてあることを特徴とする。
【０００７】
さらに請求項４記載の考案による病室案内板は、化粧板の前面に、病室番号とともに、診療科ごとに異なる絵が表示してあることを特徴とする。
【考案の効果】
【０００８】
請求項１記載の考案による病室案内板は、患者名案内板を化粧板の内部に収納することで患者名表示部が隠蔽されるので、患者のプライバシーを保護できる。また、患者名案内板を化粧板から引き出せば患者名表示部が露出するから、病院スタッフは必要に応じて患者名を瞬時に確認でき、作業に支障が生じない。通常は患者名案内板を化粧板の内部に収納するので、意匠性が良好となる。
【０００９】
請求項２記載の考案による病室案内板は、患者名案内板が化粧板の側方に引き出し可能に設けてあり、且つ収納時に化粧板から突出する引き手を設けてあるので、患者名案内板の引き出し操作を簡単に軽く行える。
【００１０】
請求項３記載の考案による病室案内板は、ストッパーの係止を解除することで患者名案内板が化粧板の下方に引き出され、患者名の確認を迅速に行うことができる。
【００１１】
請求項４記載の考案による病室案内板は、化粧板の前面に、病室番号とともに、診療科ごとに異なる絵が表示してあるので、当該絵を手がかりにすることで目的の病室を見つけるのが一層容易となる。
【考案を実施するための最良の形態】
【００１２】
以下、本考案の実施の形態を図面に基づいて説明する。図１と図２は、本考案に係る病室案内板の第一実施形態を示している。この病室案内板は、化粧板１と、患者名表示部３を有する患者名案内板２とを備え、患者名案内板２は、図１（ｂ）に示すように、化粧板１の内部に形成した収納部４に収納することにより、患者名表示部３を隠して患者のプライバシーを保護すると共に、図１（ａ）に示すように、患者名案内板２を化粧板１の左側に引き出すことにより患者名表示部３が露出し、病院スタッフが必要に応じて患者名を容易に確認できるようにしたものである。
【００１３】
化粧板１は、図２に示すように、前側板９、中間板１０、後側板１１の、三枚の樹脂板を貼り合わせて基材を形成し、基材の前面と周囲の小口面を、木目模様を施した金属製フィルム１２を貼り付けて覆ってある。中間板１０は、左側の小口より内部に大きく切り欠いてコの字形に形成し、その内側を患者名案内板２の収納部４としている。収納部４の開口側端部には、ストッパー部１３を形成してある。基材を覆う金属製フィルム１２には、前面の右下位置に病室番号７を表示してあり、前面の中央部に大きく花の絵８（ここではチューリップの絵）が印刷されている。この花の絵８は、内科、小児科といった診療科の種類によって異なるものであり、他の診療科の病棟では他の花の絵８が印刷されている。
【００１４】
患者名案内板２は、中間板１０より僅かに薄い樹脂板より形成され、化粧板の収納部４に引き出し自在に収納される。患者名案内板２の上下端面の右端には、係止部１４が上下に突出して形成してある。また、患者名案内板２の左側の端面下部には、引き手５が突出して形成してある。さらに、患者名案内板２表面の左半分の領域には、上下方向に間隔をおいて四人分の患者名表示部３を並べて設けてある。患者名表示部３は、図２に示すように、患者名案内板２の表面に凹部１５を形成し、その凹部１５内に患者名を記載した名前プレート１６をマグネットテープ（図示省略）で着脱自在に取付けたものである。
【００１５】
以上のように構成した病室案内板は、通常時は図１（ｂ）に示すように、患者名案内板２が化粧板１の収納部４内に収納され、患者名表示部３が隠蔽されるから、入院患者の氏名が見舞いに来た不特定多数の人に知られることがなく、患者のプライバシーを保護できる。見舞いに来た人は、ナースセンターなどで見舞う相手の病室番号を尋ね、化粧板１の前面に表示した病室番号７より病室を特定できる。その際、化粧板１には診療科ごとに異なる絵８が表示してあるので、この絵を手掛かりに病室を探すことで、目的の病室を見付けるのが容易となる（ナースセンター等で病室番号を教える際には、チューリップの絵のことも教えておく。）。化粧板１は、一枚物の板のように形成され、表面に切れ目等が全く無く、さらに中央部に花の絵８が大きく表示してあるので、意匠性に優れ、病院の美観向上に大きく役立つとともに、見舞いに来た人には内部に患者名案内板２が隠れていることを察知され難い。
病院スタッフが病室内の患者名を確認したい場合には、図１（ａ）に示すように、引き手５に指をかけて患者名案内板２を化粧板１の左側に引き出せば患者名表示部３が露出し、患者名を即座に確認できる。患者名案内板２は、係止部１４が収納部４のストッパー部１３に係止するため、引き出し時に収納部４から抜け出ることがない。患者名を確認した後は、患者名案内板２を元のように化粧板１の収納部４内に収納する。患者名案内板２は、バネで化粧板１と連結したり、収納部４を下向きに傾斜して設けるなどして、患者名を確認した後、引き手５を離せば自動的に収納部４内に戻るようにしてもよい。
【００１６】
図３と図４は、本考案に係る病室案内板の第二実施形態を示している。第一実施形態と異なる点について説明すると、化粧板１は、下部裏面側に凹部を形成して患者名案内板の収納部４を設けてある。収納部４の両側部には、図４に示すように、患者名案内板２を上下方向に案内するアリ溝状のガイド部１７を設けてある。また、化粧板１の表面下部には、ストッパーピン６をバネ１８で後方に付勢して取付けてある。患者名案内板２は、表面下部側に患者名表示部３を設け、表面の上部と下部の二箇所にストッパーピンの係止穴１９ａ，１９ｂが設けてあり、両サイドをガイド部１７に嵌合して収納部４内に下方より収納している。図３（ｂ）に示すように、患者名案内板２を収納部４に完全に収納した状態では、ストッパーピン６が患者名案内板２の下側の係止穴１９ｂに係止して、患者名案内板２の収納状態が維持され、患者名表示部３を隠蔽して患者のプライバシーを保護できる。病院スタッフが患者名を確認するときは、ストッパーピン６を手前に引くだけで患者名案内板２が下方に引き出されて患者名表示部３が露出し、ストッパーピン６が上側の係止穴１９ａに係止してストップする。
【００１７】
本考案は、以上に述べた実施形態に限定されない。患者名案内板は、化粧板の右側や上側に引き出すようにしてもよい。化粧板、患者名案内板の材質は問わないし、また化粧板は必ずしも表面をフィルムで覆ってなくてもよい。
【図面の簡単な説明】
【００１８】
【図１】本考案の第一実施形態に係る病室案内板の正面図であって、（ａ）は患者名案内板を化粧板から引き出した状態、（ｂ）は患者名案内板を化粧板内部に収納した状態を示している。
【図２】第一実施形態の病室案内板の分解斜視図である。
【図３】本考案の第二実施形態に係る病室案内板の正面図であって、（ａ）は患者名案内板を化粧板から引き出した状態、（ｂ）は患者名案内板を化粧板内部に収納した状態を示している。
【図４】図３のＡ−Ａ断面図である。
【符号の説明】
【００１９】
１  化粧板
２  患者名案内板
３  患者名表示部
４  収納部
５  引き手
６  ストッパーピン（ストッパー）
７  病室番号
８  絵
【図１】
0003110724.tif 000003
【図２】
0003110724.tif 000004
【図３】
0003110724.tif 000005
【図４】
0003110724.tif 000006